(57)【要約】      （修正有）【課題】構成部品を少なくすると共に、構造を簡単にして製造費を安価とし、また、使用時に従来例の如くワイヤ等による騒音の発生をなくし、治験者に不快感を与えることなく、さらにノズルから吐出される流下液が人間（治験者）の左右の生え際から外れるのを回避できる温熱液体流下装置を提供する。【解決手段】貯槽１０とヒータ２０とポンプ３０とを内蔵した基台２と、施術台５と、加熱液体供給路６と、制御装置７とを備えてなる温熱液体流下装置であって、加熱液体供給路６の先端部のノズル８０は、枢支部を支点にして振り子運動するように構成し、該ノズル８０から吐出される流下液が、人間の額部表面の中央から左右両端の生え際に至る範囲内を直線状に往復移動しながら流下されるように構成してある。【選択図】図１
0003180261.tif 000002
【実用新案登録請求の範囲】
【請求項１】
流下すべき液体を収納する貯槽と、該貯槽内の液体を適温に加熱するヒータと、このヒータで加熱された流下液を後述する施術台を経て上方に延設した加熱液体供給路の先端部のノズルまで輸送するためのポンプとを少なくとも内蔵した基台と、
前記基台の上部に設けられて、人間の頭部を載置すると共に、前記加熱された流下液を前記ノズルから頭部の額部位に受ける施術台と、
少なくとも前記施術台より人間の頭頂部側に対応する部位まで立設されたアームを有する前記加熱液体供給路と、前記加熱された流下液の温度を調節するための温度調節器やタイマー等の制御装置とを備えてなる温熱液体流下装置であって、
前記加熱液体供給路の先端部のノズルは、枢支部を支点にして振り子運動するように構成し、該ノズルから吐出される流下液が、人間の額部表面の中央から左右両端の生え際に至る範囲内を直線状に往復移動しながら流下されるように構成してあることを特徴とする加熱液体流下装置。
【請求項２】
前記アームの先端部は、スライダー案内板を水平方向に摺動自在にされるスライダーに設けてあると共に、このスライダーは、人間の額部の大きさや形状等に対応して、前記ノズルから吐出される流下液が人間の額部表面の中央から左右両端の生え際に至る範囲内を往復移動しながら流下されるように調節できるようにしてあり、
また、前記スライダー案内板の下部には、モータを設けると共に、該モータの下方には同モータと前記加熱液体供給路の先端部とを支持するモータ等支持部材を設けてあり、
さらに、前記モータ等支持部材には受皿を設けてあると共に、この受皿には加熱液体供給路の先端部と接続した前記ノズルが垂設してあり、
前記モータを作動することにより、ノズルの吐出口はモータの枢支部を支点にして振り子運動をし、人間の額部表面上を直線状に往復移動することを特徴とする請求項１に記載の温熱液体流下装置。
【請求項３】
前記基台内に収納される貯槽、ヒータ、ポンプ及び加熱液体供給路の一部は、それぞれ着脱自在として分離および取付け可能としてあり、また基台と施術台も互いに着脱自在としてあり、さらにアームとノズルも互いに着脱自在としてあることを特徴とする請求項１に記載の温熱液体流下装置。
【請求項４】
前記スライダー案内板、スライダー、モータ、モータ等支持部材、受皿、加熱液体供給路及びノズルは、それぞれ着脱自在に設けてあることを特徴とする請求項２または３に記載の温熱液体流下装置。
【請求項５】
前記基台の外周側壁は複数の扉体で構成するとともに、各扉体は左右両端部にマグネットを設け、このマグネットを基台の外周側に立設した支柱に吸着させ又は取り外すことにより、基台の開口部を閉塞または開放するようにしてあることを特徴とする請求項１から４までのいずれかに記載の温熱液体流下装置。
【考案の詳細な説明】
【技術分野】
【０００１】
本考案は、インドの古代からの伝統医学（アユルベーダ）に用いられる、人間の頭部に加温したオイルを滴下して種々の症状を癒す頭部滴下療法（シローダーラー）に用いられる温熱液体流下装置に関する。
【背景技術】
【０００２】
従来より、この種の温熱液体流下装置としては、実用新案登録第３１５８３１１号公報（以下、特許文献１という。）に示された加熱液体流下装置が知られている。
【０００３】
この特許文献１の加熱液体流下装置は、人体の頭部及び液体を受ける施術台と、該施術台に設けられた排液口からの排液を導入する貯液部と、該貯液部内の液体を加熱する加熱部と、前記貯液部内の加熱液体を前記施術台の上方に供給して流下する加熱液体供給路と、前記加熱液体供給路の先端側部分が、人体の額近傍部位に対応する部位の上方に支持されて、人体の頭頂部側に対応する部位に立設されたアームと、該アームの先端部に、アームの先端部から人体の頭頂部側に対応する方向に向けて延びてアームの先端部を軸にアームの下で扇動する扇動部とを備え、前記扇動部の先端側部位に、前記加熱液体供給路の先端が保持されてなるものである。
【０００４】
そして、前記扇動部を扇動するため、アームの下方から先端部にかけて駆動機構が設けられている。すなわち、本体部内に設けられた駆動部と、先端がアームの先端部において扇動部の軸部分に結合され前記駆動部によって牽引されるワイヤとを有する。前記駆動部は、モータ、減速機、回転板、連結杆及び揺動杆からなるリンク機構で構成される。ワイヤは、前記揺動杆を枢支する支持台の孔部を通って、前記アームの内部に導かれる。また、扇動部は、扇動部の長手方向に移動可能に構成されている。そこで、前記駆動部によってワイヤが牽引されると、アームの先端部の回転板が回転し、軸を中心に扇動部が扇動し、この扇動に従って、ノズルの位置が移動する。この結果、加熱液体供給路を通って流下する加熱液体は、人体の顔の下部側部分に対応する部位を中心とする円弧状の軌道を描いて往復移動する。（特許文献１の段落［００３１］，［００３２］，［００３７］、図１〜図７参照］。
【先行技術文献】
【特許文献】
【０００５】
【特許文献１】実用新案登録第３１５８３１１号公報
【考案の概要】
【考案が解決しようとする課題】
【０００６】
しかしながら、上記特許文献１の加熱液体流下装置では、扇動部を扇動するため、本体部内に駆動部（モータ、減速機、回転板、連結杆、揺動杆）を設けると共に、前記揺動杆を枢支する支持台の孔部を通って、アームの内部を経てアームの先端部で扇動部の軸と結合されたワイヤとを設けている。
【０００７】
そのため、特許文献１の加熱液体供給路によれば、前述したように、（ａ）駆動部として、モータ、減速機、回転板、連結杆、揺動杆の構成部品を必要とすると共に、前記駆動部の揺動杆に一端を固定し、他端を扇動部の軸部上方に設けた回転板に固定された長尺のワイヤとを必要とするので、多数の構成部品が必要である上に、構造が複雑で製造費が高くなる欠点があった。
【０００８】
（ｂ）  また、前記ワイヤは、逆Ｌ字状の中空管内に挿入されているため、加熱液体流下装置を使用時に、ワイヤがこすれるなどの騒音が発生し、治験者に不快感を与えていた。加えて、使用中にワイヤが延びる欠点があった。
【０００９】
（ｃ）  さらに、扇動部の軸を回転支点として、人体の頭頂部と反対側に位置するもので、人体の額の湾曲に沿って円弧状を描く様な扇動ができるものであるので、オイル（加熱液体）が最初に流下される額の中央部位置の設定を誤ると、左右の生え際の流下位置から外れる虞れがあった。
【００１０】
本考案は、上記従来例の有する前記（ａ）、（ｂ）、（ｃ）等の欠点を解消するために案出したものであり、構成部品を少なくすると共に、構造を簡単にして製造費を安価とし、また、使用時に従来例の如くワイヤ等による騒音の発生をなくし、治験者に不快感を与えることなく、さらにノズルから吐出される流下液が人間（治験者）の左右の生え際から外れるのを回避できる温熱液体流下装置を提供することを主目的とする。
【課題を解決するための手段】
【００１１】
上記目的を達成するため、本考案の請求項１の温熱液体流下装置は、流下すべき液体を収納する貯槽と、該貯槽内の液体を適温に加熱するヒータと、このヒータで加温された流下液を後述する施術台を経て上方に延設した加熱液体供給路の先端部のノズルまで輸送するためのポンプとを少なくとも内蔵した基台と、
前記基台の上部に設けられて、人間の頭部を載置すると共に、前記加温された流下液を前記ノズルから頭部の額部位に受ける施術台と、
少なくとも前記施術台より人間の頭頂部側に対応する部位まで立設されたアームを有する前記加熱液体供給路と、前記加温された流下液の温度を調節するための温度調節器やタイマー等の制御装置とを備えてなる温熱液体流下装置であって、
前記加熱液体供給路の先端部のノズルは、枢支部を支点にして振り子運動するように構成し、該ノズルから吐出される流下液が、人間の額部表面の中央から左右両端の生え際に至る範囲内を直線状に往復移動しながら流下されるように構成してあることを特徴とする。
【００１２】
ここで、加熱液体供給路の先端部のノズルが、枢支部を支点にして振り子運動するための具体的構成は、種々採用できるものである。
例えば、請求項２に記載するように、前記アームの先端部は、スライダー案内板を水平方向に摺動自在にされるスライダーに設けてあると共に、このスライダーは、人間の額部の大きさや形状等に対応して、前記ノズルから吐出される流下液が人間の額部表面の中央から左右両端の生え際に至る範囲内を往復移動しながら流下されるように調節できるようにしてあり、
また、前記スライダー案内板の下部には、モータを設けると共に、該モータの下方には同モータと前記加熱液体供給路の先端部とを支持するモータ等支持部材を設けてあり、
さらに、前記モータ等支持部材には受皿を設けてあると共に、この受皿には加熱液体供給路の先端部と接続した前記ノズルが垂設してあり、
前記モータを作動することにより、ノズルの吐出口はモータの枢支部を支点にして振り子運動をし、人間の額部表面上を直線状に往復移動することを特徴とする構成を採用することが好ましい。
【００１３】
本考案の構成部品は、請求項３に記載するように、請求項１において、前記基台内に収納される貯槽、ヒータ、ポンプ及び加熱液体供給路の一部は、それぞれ着脱自在として分離及び取付け可能としてあり、また基台と施術台も互いに着脱自在としてあり、さらにアームとノズルも互いに着脱自在としてある方が好ましい。
また、請求項４に記載するように、請求項２または３において、前記スライダー案内板、スライダー、モータ、モータ等支持部材、受皿、加熱液体供給路及びノズルは、それぞれ着脱自在に設けてある方が好ましい。
【００１４】
さらに、請求項５に記載するように、請求項１から４までのいずれかにおいて、前記基台の外周側壁は複数の扉体で構成するとともに、各扉体は左右両端部にマグネットを設け、このマグネットを基台の外周側に立設した支柱に吸着させ又は取り外すことにより、基台の開口部を閉塞または開放するようにしてある方が好ましい。
【考案の効果】
【００１５】
本考案の請求項１の温熱液体流下装置によれば、貯槽やヒータやポンプを有する基台と、施術台と、加熱液体供給路と、制御装置とを備えてなる温熱液体流下装置であって、
前記加熱液体供給路の先端部のノズルは、枢支部を支点にして振り子運動するように構成し、該ノズルから吐出される流下液が、人間の額部表面の中央から左右両端の生え際に至る範囲内を直線状に往復移動しながら流下されるように構成してあることを特徴とするから、従来例のようなワイヤ等を不要とするため、騒音の発生を無くし、治験者に不快感を与えることがないばかりか、ノズルから流下され流下液が額の左右の生え際から外れるのを防止できる。
【００１６】
請求項２の温熱液体流下装置によれば、前記アームの先端部は、スライダー案内板を水平方向に摺動自在にされるスライダーに設けてあると共に、このスライダーは、人間の額部の大きさや形状等に対応して、前記ノズルから吐出される流下液が人間の額部表面の中央から左右両端の生え際に至る範囲内を往復移動しながら流下されるように調節できるようにしてあるため、治験者の額部の大きさや形状等に適切に対処することができる。
また、前記スライダー案内板の下部には、モータを設けると共に、該モータの下方には同モータと前記加熱液体供給路の先端部とを支持するモータ等支持部材を設けてあり、
さらに、前記モータ等支持部材には受皿を設けてあると共に、この受皿には加熱液体供給路の先端部と接続した前記ノズルが垂設してあり、前記モータを作動することにより、ノズルの吐出口はモータの枢支部を支点にして振り子運動をし、人間の額部表面上を直線状に往復移動することを特徴にしているから、構成部品が少なくできるとともに、構造も簡単にでき、治験者の額部の左右の生え際に至る範囲内に流下液を適確に流下することができる。
【００１７】
請求項３の温熱液体流下装置によれば、前記基台内に収納される貯槽、ヒータ、ポンプ及び加熱液体供給路の一部は、それぞれ着脱自在として分離および取付け可能としてあり、また基台と施術台も互いに着脱自在としてあり、さらにアームとノズルも互いに着脱自在としてあるから、これらの多数の構成部品を組み付けることにより、温熱液体流下装置の完成品が簡単にできると共に、その完成品から上記多数の構成部品に分離・取り外すことにより、荷造りの小型化ができるばかりか、持ち運びや運送も容易であるなどの効果を有する。
【００１８】
請求項４の温熱液体流下装置によれば、前記スライダー案内板、スライダー、モータ、モータ等支持部材、受皿、加熱液体供給路及びノズルは、それぞれ着脱自在に設けてあるあるから、請求項２または３の有する効果に加えて、それらのスライダー案内板、スライダー、モータ、モータ等支持部材、受皿、加熱液体供給路及びノズルが、更に分離され組み付けできるため、荷造りの小型化や持ち運び及び運搬時の利便性が更に向上される。
【００１９】
請求項５の温熱液体流下装置によれば、前記基台の外周側壁は複数の扉体で構成するとともに、各扉体は左右両端部にマグネットを設け、このマグネットを基台の外周側に立設した支柱に吸着させ又は取り外すことにより、基台の開口部を閉塞または開放するようにしてあることから、基台の開口部を扉体で閉塞したり又は開放したりするのが、極めて簡単にできる効果がある。
【図面の簡単な説明】
【００２０】
【図１】本考案に係る温熱液体流下装置を左側面側から見た一部縦断面図である。
【図２】図１の温熱液体流下装置を正面側から見た平面図である。
【図３】アームに接続された受皿（ノズル）が治験者の額部の中心位置にある場合を示した要部斜視図である。
【図４】図３の受皿（ノズル）が治験者の額部の左側位置に移動した場合を示した要部斜視図である。
【図５】図３の受皿（ノズル）が治験者の額部の右側位置に移動した場合を示した要部斜視図である。
【図６】モータ等支持部材、モータ、スライダー案内板、スライダー及び受皿等を示した概略斜視図である。
【図７】モータ等支持部材、モータ、スライダー案内板、スライダー及び受皿等を示した概略斜視図である。
【図８】図３の一部を上方から見た拡大概略平面図である。
【図９】図８の受皿内に設けた、モータ等支持部材やモータやスライダー等の部材を示した縦断面図である。
【図１０】図８の右側面から見た、モータ等支持部材やモータやスライダー等の部材を示した縦断面図である。
【図１１】基台に施術台を組み付けた斜視図である。
【図１２】基台の右側面の扉体を取り外した状態の概略斜視図である。
【図１３】基台の正面と背面と右側面の扉体を取り外した状態の概略斜視図である。
【図１４】図１の貯槽とその内装部材を示した斜視図である。
【図１５】図１４で示した内装部材であるポンプ支持部材とポンプを示した概略図であり、（A）は正面図、（B）は拡大右側面図、（C）は背面図である。
【図１６】扉体の背面図である。
【図１７】扉体の斜視図である。
【考案を実施するための形態】
【００２１】
本考案を実施するための一形態例を、図１〜図１７に基づいて以下に説明する。
図１は、本考案に係る温熱液体流下装置の実施形態例を示した左側面側から見た一部縦断面図、図３は、アームに接続された受皿（ノズル）が治験者の額部の中心位置にある場合を示した要部斜視図、図１１は基台に施術台を組み付けた斜視図である。
【００２２】
これらの図から判るように、本考案の温熱液体流下装置１は、大別して、基台２と、基台２の上部に設けられた施術台５と、少なくとも前記施術台５より人間の頭頂部側に対応する部位まで立設されたアームを有する加熱液体供給路６と、制御装置７とを備えている。
【００２３】
前記基台２は、内部を中空とした略立方体形状をなし、該基台２の内部には、流下すべき液体を収納する貯槽１０と、該貯槽１０内の液体を適温に加熱するヒータ２０と、このヒータ２０で加熱された流下液を施術台５を経て上方に延設した加熱液体供給路６の先端部のノズルまで輸送するためのポンプ３０とを少なくとも内蔵している。
すなわち、基台２には、図１及び図１２に示されているように、正方形状の底板２ａの四隅部に金属製の支柱（縦桟〕２ｂ、２ｂ、２ｂ、２ｂを立設すると共に、支柱（縦桟）２ｂ…２ｂ上端部同士間に上桟２ｃ、２ｃ、２ｃ、２ｃを固定してある。そして、前記支柱（縦桟）２ｂ…２ｂ及び上桟２ｃ…２ｃに対して、施術台５を着脱自在に被蓋している。
【００２４】
また、前記基台２内の底板２ａ上には、ヒーター２０で加熱された流下液の温度を調節するための温度調節器８やタイマー９等の制御装置７を備えている。そして、底板２ａの下面側には移動に便利なようにキャスター４が取り付けてある。この制御装置７には、図１、図１２、図１３に示されているように、ポンプ用ランプ３７、ヒーター用ランプ２７、電源用ランプ１７等が設けてある。この制御装置７は、ヒーター２０、温度調節器８．タイマー９及びポンプ３０の作動等を制御する。
【００２５】
前記貯槽１０は、図１、図１２、図１３に示されているように、制御装置７の上面に窪ませた凹陥部７ａに嵌装した略皿状のヒーター２０上に載置するようにしてある。
この貯槽１０は、有底筒状で側面に把手１０ａを有する金属製のコップ状に形成されており、該板貯槽１０内の液体を前記ヒーター２０で加熱するようにしてある。
【００２６】
そして、この貯槽１０には、図１４、図１５（A）、（B）、（C）に示されるようなポンプ支持部材３１を内装している。ポンプ支持部材３１は、図１５（A）に示す如く、正面から見て、断面が略皿形状の左右両端部にフック部３２，３２を形成して、そのフック部３２，３２を貯槽１０の上端周縁部１０ｂに係架するようにしている。
【００２７】
このポンプ支持部材３１の底板部３３には、図１４〜図１５に示されているように、ポンプ３０が固定されている。このポンプ３０は、貯槽１０内の液体がヒーター２０で適温になると、その加温された液体（流下液）が、前記加熱液体供給路６の下端部から上端部（先端部）のノズルへ汲み上げて供給されるように、前記制御装置７によって制御されている。ポンプ３０は、図１に示すように、使用時には貯槽１０の下部に臨ませている。
【００２８】
そして、前記ポンプ３０は、吸込口（図示せず）から吸い込んだ液体を吐出管３４から吐出するもので（図１５（B）参照）、この吐出管３４に、加熱液体供給路６を構成する給液管６Ａが接続されている（図１参照）。
【００２９】
前記施術台５は、図１〜図５、図１１〜１３に示されているように、平面から見て略正方形状の厚板からなり、上面には、人間（施術者）の頭部及び液体を受ける凹陥部５１が形成されている。この凹陥部５１は、正面（前方）側に人間の頭部を載せる頭部載置部５１ａと、該頭部載置部５１ａから背面（後方）側に向けた皿状の皿状凹部５１ｂとからなっている。後者の皿状凹部５１ｂの最深部には、凹陥部５１に流れる加熱液体（流下液）を排出する排液口５２が形成されている。
【００３０】
前記排液口５２は施術台５の下面まで貫設されており、その下部にはストレーナ５３を介して排液管５４が接続され、該排液管５４は前記貯槽１０内に臨ませている。それゆえ、前記ストレーナ５３で異物が除去された加熱液体は貯槽１０内に導入され、再利用される。なお、図１で、ストレーナ５３の下方はナット５５で排液管５４が連結されている。
【００３１】
一方、施術台５の図２の平面視において、左後部位置には、略逆し字状で中空の管体からなり、その内部に前記給液管６Ａと連通して接続した給液管６Ｂを全長に亘り内挿したアーム６０が立設してある。このアーム６０は、ステンレススチール等の金属製で作られており、加熱液体供給路６を構成する給液管６Ｂを施術台５より人間（治験者）の頭頂部に対応する部位まで立設されている。
【００３２】
すなわち、前記アーム６０の下端部内に、前記貯槽１０内に臨ませた給液管６Ａの上端部が嵌挿されている。一方、アーム６０の下端部から先端部（上端部）までには、給液管６Ｂが嵌挿されている（図１、図７参照）。そして、給液管６Ｂの先端部は、図７で示されているように、アーム６０の先端に穿設した挿通孔６１に挿入して、ボウル状の受皿７０内に臨ませている。
【００３３】
前記加熱液体供給路６は、この実施形態では、説明の便宜上、給液管６Ａと給液管６Ｂとに２分割して説明したが、両給液管６Ａ、給液管６Ｂは一体成形したものの方が好ましい。例えば、合成樹脂やゴム等の弾性や耐久性等に富む素材で、一体成形した管状の一本の給液管を採用する方が好ましい。
【００３４】
前記受皿７０の最深部には、加熱液体供給路６の先端部が連通される連通孔７１が形成され、この連通孔７１の下方にノズル８０が連通した状態でナット等の固定手段８１で固定してある（図９参照）。
【００３５】
そして、前記加熱液体供給路６の先端部のノズル８０は、枢支部を支点にして振り子運動するように構成し、該ノズル８０から吐出される流下液が、人間（治験者）の額部表面の中央から左右両端の生え際に至る範囲内を直線状に往復移動しながら流下されるように構成してある。
【００３６】
前述の如く、ノズル８０を振り子運動させるための具体的菜構成を、図６〜図１０に基づいて以下に説明する。
【００３７】
前記ノズル８０から吐出される流下液が、人間（治験者）の額部表面の中央から左右両端の生え際に至る範囲内を直線状に往復移動しながら流下されるようにするための駆動機構９０として、モータ等支持部材９１と、モータ固定部材９２と、モータ９３と、スライダー案内板９４と、スライダー９５及び制御装置９６とを備えている。
【００３８】
すなわち、前記モータ等支持部材９１は、略箱状に形成され、モータ９３と、加熱液体供給路６（給液管６Ｂ）の先端部とを支持するものであって、受皿７０の内底面に設けてある。
【００３９】
モータ等支持部材９１の上方には、略断面コ字状の上部固定部材９２ａと下部固定部材９２ｂとからなるモータ固定部材９２を設けてあり、下部固定部材９２ｂはモータ等支持部材９１の上面に固定するとともに、上部固定部材９２ａはスライダー案内板９４に固定してある。
【００４０】
そして、上部固定部材９２ａと下部固定部材９２ｂとの間にモータ９３を設け、該モータ９３の回転軸９３ａを下部固定部材９２ｂに回転自在に枢支している。それゆえ、ノズル８０が治験者の額部の中心位置にある図３の場合において、モータ９３を作動すると、ノズル８０の吐出口は、モータ９３の回転軸（枢支部）９３ａを支点にして、図３において紙面に対して左方向へ移動（図４参照）してから、右方向へ移動する（図５参照）。このように、本考案におけるノズル８０の吐出口は、モータ９３の回転軸（枢支部）９３ａを回動支点にして、左右方向に振り子運動をし、人間（治験者）の額部表面上を直線状に往復移動する。
【００４１】
前述したように、ノズル８０を左右方向に振り子運動するためのストロークの長さや速度や時間等は、制御装置９６が担っている。
【００４２】
前記スライダー案内板９４は、断面コ字状の長板の上部開口縁に内向きの折曲部９４ａ、９４ａを形成している。また、スライダー９５は、前記スライダー案内板９４の長手方向に形成されたガイド溝９４ｂを水平方向に摺動自在にされると共に、その略中央部には前記アーム６０の先端部が溶接や嵌合方式等により固定されている。そして、このスライダー９５の前部には調節ピン９５ａを取り付けており、この調節ピン９５ａを弛めて、スライダー案内板９４に対してスライダー９５を前後動することにより、調節ピン９５ａを適切な位置で固定することで、人間（治験者）の額部の大きさや形状等に対応して、前記ノズル８０から吐出される流下液が人間の額部表面の中央から左右両端の生え際に至る範囲内を往復移動しながら適切に流下されるように調節できるようにしてある。
つまり、スライダー９５の調節ピン９５ａを調節することにより、治験者の額部表面に滴下する上下方向の位置を適切に調節することができる。
【００４３】
この考案の実施の形態では、前記基台２内に収納される貯槽１０、ヒータ２０、ポンプ３０及び加熱液体供給路６の一部は、それぞれ着脱自在として分離および取付け可能としてあり、また基台２と施術台５も互いに着脱自在としてあり、さらにアーム６０とノズル８０も互いに着脱自在としてある。このように構成することにより、既述したような効果がある。
しかしながら、本考案では、上記各構成要素（部品、部材）の一部のみが着脱自在である場合でもよい。
【００４４】
また、本考案の実施の形態では、前記スライダー案内板９４，スライダー９５、モータ９３、モータ等支持部材９１、受皿７０、加熱液体供給路６及びノズル８０は、それぞれ着脱自在に設けてあるが、本考案はかかる構成に限定されるものではない。
【００４５】
本考案は、基台２の外周側壁を形成する扉体が、基台に対して簡単に着脱できるように工夫されている。
これについて、図１１〜図１３、図１６〜図１７に基づいて以下に説明する。
【００４６】
すなわち、前記基台２の外周側壁は複数つまり４枚の扉体４０…４０で構成してあり、各扉体４０…４０は左右両端部にマグネット４１…４１を設け、このマグネット４１…４１を基台２の外周側に立設した金属製の支柱２ｂ…２ｂに吸着させ又は取り外すことにより、基台２の開口部を閉塞または開放するようにしてある。
【００４７】
このように、各扉体４０…４０に設けたマグネット４１…４１と、基台の支柱２ｂ…２ｂとの磁性吸着力により各扉体４０を閉じ、又は上記磁性吸着力に抗する外力を加えることにより各扉体４０を開放できるので、扉体４０の開閉が簡単容易であるばかりか、前後左右の四方のいずれかの扉体４０を開放し、制御装置７や貯槽１０等の設置向きを自由に変更することができる利点がある。
【００４８】
この実施形態の温熱液体流下装置の動作を以下に説明する。
ごま油等の流下すべき液体を貯槽１０に入れた後に、ヒーター２０に載置して制御装置７により所望温度に加熱する。上記液体が所望温度になった後、制御装置７を操作してポンプ３０を駆動すると、貯槽１０内の加熱された液体が汲み上げられて、加熱液体供給路６（給液管６Ａ、給液管６Ｂ）内を通って、ノズル８０から、施術台５上に載置した治験者の頭部の額部の中心位置などの所望位置に、上記加温された液体が流下される。
【００４９】
この加温液体が、治験者の額部の中心位置の所望位置に流下されるように、予め、受皿７０に設けた駆動機構９０で調整しておく。例えば、額部に対する上下方向の位置、ノズル８０の振り子運動する振り角度や振り速度等を制御装置９６で調整する。
そこで、モータ９３を駆動すると、当初において額部の中心位置にあったノズル８０（図３参照）は、左側位置（図４参照）に移動してから前記中心位置を経て、右側位置（図５参照）に移動し、さらに中心位置を経て左側位置に移動するように、振り子運動しながら直線状に往復移動し、前記加温液体が流下される。
【００５０】
治験者の額部に流下された加温液体は、施術台５の排液口５２及び排液管５４を通って貯槽１０に戻る。その戻った加温液体は再度使用される。
【００５１】
治験者に対する処方が完了した後、任意個所の扉体４０を開放して、貯槽１０やヒーター２０や制御装置７を簡単に外部へ取り出すことができる。
【００５２】
本考案は、前記実施形態の構成に限定されるものではなく、適宜設計変更できるものである。
【符号の説明】
【００５３】
１      温熱液体流下装置
２      基台
２ｂ    支柱
５      施術台
６      加熱液体供給路
７      制御装置
１０    貯槽
２０    ヒータ
３０    ポンプ
４０    扉体
４１    マグネット
５４    排液管
６０    アーム
７０    受皿
８０    ノズル
９０    駆動機構
９１   モータ等支持部材
９２    モータ固定部材
９３    モータ
９３ａ  回転軸（枢支部）
９４    スライダー案内板
９５    スライダ
９５ａ  調節ピン
【図１】
0003180261.tif 000003
【図２】
0003180261.tif 000004
【図３】
0003180261.tif 000005
【図４】
0003180261.tif 000006
【図５】
0003180261.tif 000007
【図６】
0003180261.tif 000008
【図７】
0003180261.tif 000009
【図８】
0003180261.tif 000010
【図９】
0003180261.tif 000011
【図１０】
0003180261.tif 000012
【図１１】
0003180261.tif 000013
【図１２】
0003180261.tif 000014
【図１３】
0003180261.tif 000015
【図１４】
0003180261.tif 000016
【図１５】
0003180261.tif 000017
【図１６】
0003180261.tif 000018
【図１７】
0003180261.tif 000019
【手続補正書】
【提出日】平成24年10月6日(2012.10.6)
【手続補正１】
【補正対象書類名】実用新案登録請求の範囲
【補正対象項目名】請求項４
【補正方法】変更
【補正の内容】
【請求項４】
前記スライダー案内板、スライダー、モータ、モータ等支持部材、受皿、加熱液体供給路及びノズルは、それぞれ着脱自在に設けてあることを特徴とする請求項２に記載の温熱液体流下装置。
【手続補正２】
【補正対象書類名】明細書
【補正対象項目名】００１１
【補正方法】変更
【補正の内容】
【００１１】
上記目的を達成するため、本考案の請求項１の温熱液体流下装置は、流下すべき液体を収納する貯槽と、該貯槽内の液体を適温に加熱するヒータと、このヒータで加熱された流下液を後述する施術台を経て上方に延設した加熱液体供給路の先端部のノズルまで輸送するためのポンプとを少なくとも内蔵した基台と、
前記基台の上部に設けられて、人間の頭部を載置すると共に、前記で加熱された流下液を前記ノズルから頭部の額部位に受ける施術台と、
少なくとも前記施術台より人間の頭頂部側に対応する部位まで立設されたアームを有する前記加熱液体供給路と、前記加熱された流下液の温度を調節するための温度調節器やタイマー等の制御装置とを備えてなる温熱液体流下装置であって、
前記加熱液体供給路の先端部のノズルは、枢支部を支点にして振り子運動するように構成し、該ノズルから吐出される流下液が、人間の額部表面の中央から左右両端の生え際に至る範囲内を直線状に往復移動しながら流下されるように構成してあることを特徴とする。
【手続補正３】
【補正対象書類名】明細書
【補正対象項目名】００１３
【補正方法】変更
【補正の内容】
【００１３】
本考案の構成部品は、請求項３に記載するように、請求項１において、前記基台内に収納される貯槽、ヒータ、ポンプ及び加熱液体供給路の一部は、それぞれ着脱自在として分離及び取付け可能としてあり、また基台と施術台も互いに着脱自在としてあり、さらにアームとノズルも互いに着脱自在としてある方が好ましい。
また、請求項４に記載するように、請求項２において、前記スライダー案内板、スライダー、モータ、モータ等支持部材、受皿、加熱液体供給路及びノズルは、それぞれ着脱自在に設けてある方が好ましい。
【手続補正４】
【補正対象書類名】明細書
【補正対象項目名】００１８
【補正方法】変更
【補正の内容】
【００１８】
請求項４の温熱液体流下装置によれば、前記スライダー案内板、スライダー、モータ、モータ等支持部材、受皿、加熱液体供給路及びノズルは、それぞれ着脱自在に設けてあるから、請求項２の有する効果に加えて、それらのスライダー案内板、スライダー、モータ、モータ等支持部材、受皿、加熱液体供給路及びノズルが、更に分離され組み付けできるため、荷造りの小型化や持ち運び及び運搬時の利便性が更に向上される。
【手続補正５】
【補正対象書類名】明細書
【補正対象項目名】００３６
【補正方法】変更
【補正の内容】
【００３６】
前述の如く、ノズル８０を振り子運動させるための具体的な構成を、図６〜図１０に基づいて以下に説明する。
【手続補正６】
【補正対象書類名】明細書
【補正対象項目名】００５１
【補正方法】変更
【補正の内容】
【００５１】
治験者に対する処方が完了した後、任意個所の扉体４０を開放して、貯槽１０やヒータ２０や制御装置７を簡単に外部へ取り出すことができる。
【手続補正７】
【補正対象書類名】図面
【補正対象項目名】図３
【補正方法】変更
【補正の内容】
【図３】
0003180261.tif 000020
【手続補正８】
【補正対象書類名】図面
【補正対象項目名】図４
【補正方法】変更
【補正の内容】
【図４】
0003180261.tif 000021
【手続補正９】
【補正対象書類名】図面
【補正対象項目名】図５
【補正方法】変更
【補正の内容】
【図５】
0003180261.tif 000022
【手続補正１０】
【補正対象書類名】図面
【補正対象項目名】図１１
【補正方法】変更
【補正の内容】
【図１１】
0003180261.tif 000023
【手続補正１１】
【補正対象書類名】図面
【補正対象項目名】図１２
【補正方法】変更
【補正の内容】
【図１２】
0003180261.tif 000024
【手続補正１２】
【補正対象書類名】図面
【補正対象項目名】図１３
【補正方法】変更
【補正の内容】
【図１３】
0003180261.tif 000025
【手続補正１３】
【補正対象書類名】図面
【補正対象項目名】図１４
【補正方法】変更
【補正の内容】
【図１４】
0003180261.tif 000026
【手続補正１４】
【補正対象書類名】図面
【補正対象項目名】図１５（Ａ）
【補正方法】変更
【補正の内容】
【図１５（Ａ）】
0003180261.tif 000027
【手続補正１５】
【補正対象書類名】図面
【補正対象項目名】図１５（Ｂ）
【補正方法】変更
【補正の内容】
【図１５（Ｂ）】
0003180261.tif 000028
【手続補正１６】
【補正対象書類名】図面
【補正対象項目名】図１５（Ｃ）
【補正方法】変更
【補正の内容】
【図１５（Ｃ）】
0003180261.tif 000029
【手続補正書】
【提出日】平成24年10月27日(2012.10.27)
【手続補正１】
【補正対象書類名】手続補正書
【補正対象項目名】手続補正１４
【補正方法】変更
【補正の内容】
【手続補正１４】
【補正対象書類名】図面
【補正対象項目名】図１５
【補正方法】変更
【補正の内容】
【図１５】
0003180261.tif 000030
【手続補正２】
【補正対象書類名】手続補正書
【補正対象項目名】手続補正１５
【補正方法】削除
【補正の内容】
【手続補正３】
【補正対象書類名】手続補正書
【補正対象項目名】手続補正１６
【補正方法】削除
【補正の内容】